(57)【要約】【課題】  充電型電池に充電が行なわれている場合に、着信が有ると、その着信の合図を保有者に間違いなく伝達できるようにすることである。【解決手段】    着信が有ったことを保持者に認識させる伝達・認識手段と、充電型電池とを有する携帯端末装置において、  前記伝達・認識手段は、着信が有ったことを体感によって保持者が認識する第１の伝達・認識手段と、着信が有ったことを聴覚および／または視覚によって保持者が認識する第２の伝達・認識手段とを備えたものであり、  前記第１の伝達・認識手段が作動するよう前記伝達・認識手段がセットされている場合において、前記充電型電池に充電が行われるようセットされた場合、前記第２の伝達・認識手段が作動するよう前記伝達・認識手段を制御する制御手段が設けられてなる携帯端末装置。【選択図】    図１
2006217014.tif 000002
【特許請求の範囲】
【請求項１】
着信が有ったことを保持者に認識させる伝達・認識手段と、充電型電池とを有する携帯端末装置において、
前記伝達・認識手段は、着信が有ったことを体感によって保持者が認識する第１の伝達・認識手段と、着信が有ったことを聴覚および／または視覚によって保持者が認識する第２の伝達・認識手段とを備えたものであり、
前記第１の伝達・認識手段が作動するよう前記伝達・認識手段がセットされている場合において、前記充電型電池に充電が行われるようセットされた場合、前記第２の伝達・認識手段が作動するよう前記伝達・認識手段を制御する制御手段が設けられてなる
ことを特徴とする携帯端末装置。
【請求項２】
制御手段は、第１の伝達・認識手段が作動するよう伝達・認識手段がセットされている場合において、充電型電池に充電が行われるようセットされた場合、第２の伝達・認識手段が作動し、前記充電型電池への充電が停止になった場合、前記第１の伝達・認識手段が作動するよう構成されたものであることを特徴とする請求項１の携帯端末装置。
【請求項３】
着信が有ったことを体感によって保持者が認識する第１の伝達・認識手段は、モータと、前記モータの作動によって作動する振動発生手段と、前記モータの作動によって作動する冷却手段とを具備してなり、
制御手段は、充電型電池に充電が行われるようセットされた場合、前記冷却手段を作動させるよう構成されてなる
ことを特徴とする請求項１又は請求項２の携帯端末装置。
【請求項４】
充電型電池に充電が行われるよう充電器にセットされた場合、モータが充電器に、直接、電気的に接続されるよう構成されてなり、
前記モータは、前記充電型電池を電源とした場合、所定の回転速度で回転し、前記充電器を電源とした場合、前記所定の回転速度よりも高速度で回転するよう構成されてなり、
第１の伝達・認識手段は、前記高速度でモータが回転する場合、振動発生手段が作動せず、冷却手段が作動するよう構成されてなる
ことを特徴とする請求項１〜請求項３いずれかの携帯端末装置。
【請求項５】
着信が有ったことを保持者に認識させる伝達・認識手段と、充電型電池とを有する携帯端末装置において、
前記伝達・認識手段は、着信が有ったことを体感によって保持者が認識する第１の伝達・認識手段と、着信が有ったことを聴覚および／または視覚によって保持者が認識する第２の伝達・認識手段とを備えたものであり、
着信が有ったことを体感によって保持者が認識する第１の伝達・認識手段は、モータと、前記モータの作動によって作動する振動発生手段と、前記モータの作動によって作動する冷却手段とを具備してなり、
前記充電型電池に充電が行われるよう充電器にセットされた場合、前記モータが前記充電器に、直接、電気的に接続されるよう構成され、
前記モータは、前記充電型電池を電源とした場合、所定の回転速度で回転し、前記充電器を電源とした場合、前記所定の回転速度よりも高速度で回転するよう構成されてなり、
前記第１の伝達・認識手段は、前記高速度でモータが回転する場合、振動発生手段が作動せず、冷却手段が作動するよう構成されてなる
ことを特徴とする携帯端末装置。
【請求項６】
着信が有ったことを体感によって保持者が認識する第１の伝達・認識手段は、モータと、偏心錘と、ファンと、遠心クラッチとを具備してなり、
前記モータが所定の回転速度で回転する場合、前記遠心クラッチにより前記偏心錘が回転して振動が発生させられ、前記モータが前記所定の回転速度より高速度で回転する場合、前記遠心クラッチにより前記偏心錘は回転せず前記ファンが回転するよう構成されてなる
ことを特徴とする請求項３〜請求項５いずれかの携帯端末装置。
【発明の詳細な説明】
【技術分野】
【０００１】
本発明は、例えば携帯電話機などの携帯端末装置に関する。
【背景技術】
【０００２】
近年、携帯電話機を使って、メールを送ったり、パーソナルコンピュータ（ＰＣ）と携帯電話機とを接続して、ファイルを転送したり、データベースにアクセスすることが盛んに行なわれて来ている。この為、携帯電話機で高速のデータ通信を行なえることが要望されてきている。ところで、携帯電話機でディジタルデータを高速で送るようにすると、終段のＲＦアンプの負担が重くなり、かなりの発熱が生じる。そればかりか、携帯電話機においては、携帯電話機の電源として二次電池（充電型電池）が用いられており、充電型電池への充電時にもかなりの発熱が生じている。そして、発熱を放置したままであると、例えば送信出力が落ちたり、誤動作が生じる等各種の問題が懸念されている。特に、近年の携帯電話機の高機能化に伴う内蔵ＣＰＵの負荷増大による発熱が加わり、携帯電話機の温度上昇は無視できないものとなっている。この中でも、充電時の発熱は問題が大きなものとなっている。尚、この充電時の発熱の要因は、充電回路内の電流制御トランジスタにおける損失および電流検出抵抗における損失によるものである。
【０００３】
このような発熱の問題に対して幾つかの提案がなされている。
【０００４】
例えば、特開２０００−２５２６６７では、モータと、バイブレータ機能を動作させる偏心重りと、携帯電話機の発熱部を冷却させるファンと、上記モータの回転が上記偏心重りに伝達される状態と、上記モータの回転が上記偏心重りに伝達されなくなる状態とが設定可能とされたクラッチ機構とを備え、上記モータの回転を上記ファンに伝達して上記ファンを回転させると共に、上記モータの回転を上記クラッチ機構を介して上記偏心重りに伝達することにより、上記バイブレータ機構の動作を制御するようにした携帯電話機が提案されている。
【０００５】
又、特開２００４−７２４２０では、ハウジングを振動させて着信を知らせる着信用の振動モータを備えた携帯電話装置であって、この携帯電話装置の筐体内部に設けた高温となる電子部品の近傍に前記着信用の振動モータを配置したことを特徴とする携帯電話装置、ハウジングを振動させて着信を知らせる着信用の振動モータを備えた携帯電話装置であって、この携帯電話装置の筐体内部に設けた電子部品の温度上昇を検知するセンサを備え、前記電子部品の温度が規定値以上に上昇した時に前記着信用の振動モータを振動させて電子部品に振動を付加することで、熱を周囲に拡散させるように構成したことを特徴とする携帯電話装置、ハウジングを振動させて着信を知らせる着信用の振動モータを備えた携帯電話装置であって、規定以上の温度で変形する形状記憶合金で作られた金具を、前記携帯電話装置の筐体内部に設けた高温となる電子部品に取り付け、規定温度以上に発熱した前記電子部品の熱で前記金具が変形した時に、この金具が前記着信用の振動モータと接触して前記振動モータの振動を伝えるように構成したことを特徴とする携帯電話装置、ハウジングを振動させて着信を知らせる着信用の振動モータを備えた携帯電話装置であって、前記振動モータの前記ハウジングが略円筒形状又は略角筒形状に形成されているとともに、この振動モータの先端に設けた振動発生用分銅と、この携帯電話装置の筐体内部に設けた電子部品が発熱した時に振動モータを動作させて回転・送風により電子部品を冷却する前記分銅側に設けた冷却フィンとを備えたことを特徴とする携帯電話装置、ハウジングを振動させて着信を知らせる着信用の振動モータを備えた携帯電話装置であって、前記振動モータの前記ハウジングは略円板形状に形成され、前記モータ軸上にフィンを設けたことを特徴とする携帯電話装置、ハウジングを振動させて着信を知らせる着信用の振動モータを備えた携帯電話装置であって、前記振動モータの前記ハウジングは略円板形状に形成するとともに、前記振動モータのハウジングを金属で形成し、この振動モータのハウジング本体を発熱する電子部品面に取付けて熱伝導用部材として用いることを特徴とする携帯電話装置などが提案されている。
【０００６】
しかしながら、上記提案の技術は、一般的な発熱に対する対策が施された携帯端末装置であるに過ぎず、充電型電池への充電時における発熱対策については触れる処が無い。
【０００７】
尚、携帯端末装置についてのものでは無く、電気掃除機についてのものであるが、特開２００２−３６０４８３では、充電型電池への充電時における発熱対策が提案されている。
【０００８】
すなわち、充電式の電池を備える掃除機本体と、前記掃除機本体が載置される充電台と、前記充電台内に配設され且つ充電時に発熱する充電素子が設けられた充電回路を備えると共に、前記掃除機本体が前記充電台に載置されたときに、前記充電回路により前記電池への充電が行われる充電式電気掃除機において、前記電池への充電時に作動して冷却風を前記充電素子に供給して前記充電素子を冷却させる冷却ファンと、前記充電回路による前記電池への充電が停止されたのを検知して、前記冷却ファンの作動を停止させるファン停止手段を備えることを特徴とする充電式電気掃除機が提案されている。
【特許文献１】特開２０００−２５２６６７
【特許文献２】特開２００４−７２４２０
【特許文献３】特開２００２−３６０４８３
【発明の開示】
【発明が解決しようとする課題】
【０００９】
ところで、携帯端末装置の電源として採用されている二次電池（充電型電池）に充電を行なう為、充電装置に携帯端末装置をセットしている場合において、充電時における発熱の問題もさることながら、着信が有ったことを保持者に認識させる手段として、例えば振動手段が採られている場合には、携帯端末装置の保有者は携帯端末装置を直接に保持している訳でないから、振動が起きたとしても、着信の合図を認識でき難いことになる。
【００１０】
尚、電気掃除機に関する特開２００２−３６０４８３には、着信時における上記の問題は無い。
【００１１】
従って、本発明が解決しようとする第１の課題は、充電型電池に充電が行なわれている場合に、着信が有ると、その着信の合図を保有者に間違いなく伝達できるようにすることである。
【００１２】
本発明が解決しようとする第２の課題は、充電型電池に充電が行なわれている場合に、充電時に生ずる発熱の問題を改善することである。特に、発熱の問題を、装置の大幅な改変をしなくても達成できる技術を提案することである。しかも、その際、間違いなく、発熱問題に対処できる技術を提案することである。
【課題を解決するための手段】
【００１３】
前記第１の課題は、着信が有ったことを保持者に認識させる伝達・認識手段と、充電型電池とを有する携帯端末装置において、
前記伝達・認識手段は、着信が有ったことを体感によって保持者が認識する第１の伝達・認識手段と、着信が有ったことを聴覚および／または視覚によって保持者が認識する第２の伝達・認識手段とを備えたものであり、
前記第１の伝達・認識手段が作動するよう前記伝達・認識手段がセットされている場合において、前記充電型電池に充電が行われるようセットされた場合、前記第２の伝達・認識手段が作動するよう前記伝達・認識手段を制御する制御手段が設けられてなる
ことを特徴とする携帯端末装置によって解決される。
【００１４】
特に、着信が有ったことを保持者に認識させる伝達・認識手段と、充電型電池とを有する携帯端末装置において、
前記伝達・認識手段は、着信が有ったことを体感によって保持者が認識する第１の伝達・認識手段と、着信が有ったことを聴覚および／または視覚によって保持者が認識する第２の伝達・認識手段とを備えたものであり、
前記第１の伝達・認識手段が作動するよう前記伝達・認識手段がセットされている場合において、前記充電型電池に充電が行われるようセットされた場合、前期第２の伝達・認識手段が作動し、前記充電型電池への充電が停止になった場合、前記第１の伝達・認識手段が作動するよう前記伝達・認識手段を制御する制御手段が設けられてなる
ことを特徴とする携帯端末装置によって解決される。
【００１５】
又、前記第１及び第２の課題は、上記の携帯端末装置であって、
着信が有ったことを体感によって保持者が認識する前記第１の伝達・認識手段は、モータと、前記モータの作動によって作動する振動発生手段と、前記モータの作動によって作動する冷却手段とを具備してなり、
前記制御手段は、前記充電型電池に充電が行われるようセットされた場合、前記冷却手段を作動させるよう構成されてなる
ことを特徴とする携帯端末装置によって解決される。
【００１６】
特に、前記第１及び第２の課題は、上記の携帯端末装置であって、
前記充電型電池に充電が行われるよう充電器にセットされた場合、モータが充電器に、直接、電気的に接続されるよう構成されてなり、
前記モータは、前記充電型電池を電源とした場合、所定の回転速度で回転し、前記充電器を電源とした場合、前記所定の回転速度よりも高速度で回転するよう構成されてなり、
前記第１の伝達・認識手段は、前記高速度でモータが回転する場合、振動発生手段が作動せず、冷却手段が作動するよう構成されてなる
ことを特徴とする携帯端末装置によって解決される。
【００１７】
更には、前記第１及び第２の課題は、上記の携帯端末装置であって、
着信が有ったことを体感によって保持者が認識する前記第１の伝達・認識手段は、モータと、偏心錘と、ファンと、遠心クラッチとを具備してなり、
前記モータが所定の回転速度で回転する場合、前記遠心クラッチにより前記偏心錘が回転して振動が発生させられ、前記モータが前記所定の回転速度より高速度で回転する場合、前記遠心クラッチにより前記偏心錘は回転せず前記ファンが回転するよう構成されてなる
ことを特徴とする携帯端末装置によって解決される。
【００１８】
又、前記第２の課題は、着信が有ったことを保持者に認識させる伝達・認識手段と、充電型電池とを有する携帯端末装置において、
前記伝達・認識手段は、着信が有ったことを体感によって保持者が認識する第１の伝達・認識手段と、着信が有ったことを聴覚および／または視覚によって保持者が認識する第２の伝達・認識手段とを備えたものであり、
着信が有ったことを体感によって保持者が認識する第１の伝達・認識手段は、モータと、前記モータの作動によって作動する振動発生手段と、前記モータの作動によって作動する冷却手段とを具備してなり、
前記充電型電池に充電が行われるよう充電器にセットされた場合、前記モータが前記充電器に、直接、電気的に接続されるよう構成され、
前記モータは、前記充電型電池を電源とした場合、所定の回転速度で回転し、前記充電器を電源とした場合、前記所定の回転速度よりも高速度で回転するよう構成されてなり、
前記第１の伝達・認識手段は、前記高速度でモータが回転する場合、振動発生手段が作動せず、冷却手段が作動するよう構成されてなる
ことを特徴とする携帯端末装置によって解決される。
【００１９】
特に、上記携帯端末装置であって、
着信が有ったことを体感によって保持者が認識する第１の伝達・認識手段は、モータと、偏心錘と、ファンと、遠心クラッチとを具備してなり、
前記モータが所定の回転速度で回転する場合、前記遠心クラッチにより前記偏心錘が回転して振動が発生させられ、前記モータが前記所定の回転速度より高速度で回転する場合、前記遠心クラッチにより前記偏心錘は回転せず前記ファンが回転するよう構成されてなる
ことを特徴とする携帯端末装置によって解決される。
【発明の効果】
【００２０】
着信が有ったことを体感によって認識する第１の伝達・認識手段（例えば、振動手段）にセットされたまま充電動作が行なわれている時にあっては、携帯端末装置は体から離れているのが普通であり、そうであるとすると、着信の合図、即ち、振動が起きたとしても、そのことを感知（認識）でき難い。
【００２１】
しかしながら、本発明にあっては、充電型電池に充電が行われるようセットされた場合、着信が有ったことを聴覚および／または視覚によって認識する第２の伝達・認識手段が作動するように構成されているので、着信を容易に認識できるようになる。
【００２２】
そして、充電の終了、又は充電器から取り外した場合の如く、充電型電池への充電が停止になった場合、第２の伝達・認識手段から第１の伝達・認識手段に復帰するようにしておけば、本来、着信合図は、例えば振動手段によるものであったことに基づく間違いが起き難いものとなる。例えば、自動復帰していないと、即ち、振動手段から視聴覚手段に変更されたままであったとすると、自分の着信合図は振動であるからとして、例えば音楽が流れて来ても、それは自分への着信合図であるとは取らず、そのまま放置してしまう恐れが有る。
【００２３】
又、充電型電池に充電が行われるようセットされた場合、第１の伝達・認識手段のモータの作動によって作動する冷却手段の作動により充電回路が冷却されるようにしているので、余分なコストや部品を掛けることなく、効果的に冷却を図れるようになる。従って、発熱に対する処置を効果的に行なうことが出来、発熱に起因する種々の問題を解決できる。
【００２４】
例えば、充電型電池に充電が行われるよう充電器にセットされた場合、モータが充電器に、直接、電気的に接続されるよう構成されていて、このモータは、充電型電池を電源とした場合、所定の回転速度で回転し、充電器を電源とした場合、前記所定の回転速度よりも高速度で回転するよう構成されていて、前記高速度でモータが回転する場合、振動発生手段は作動せず、冷却手段のみが作動するよう構成されていると、不要な振動が起きなくなるので、一層好ましいものとなる。
【００２５】
すなわち、着信が有ったことを体感によって保持者が認識する第１の伝達・認識手段を、モータと、偏心錘と、ファンと、遠心クラッチとを用いて構成することにより、前記モータが所定の回転速度で回転する場合、前記遠心クラッチにより前記偏心錘が回転して振動が発生させられ、前記モータが前記所定の回転速度より高速度で回転する場合、前記遠心クラッチにより前記偏心錘は回転せず前記ファンが回転するように出来る。
【発明を実施するための最良の形態】
【００２６】
図１及び図２は本発明になる携帯端末装置（例えば、携帯電話機Ａ）の第１実施形態を示すもので、図１はブロック図、図２は動作説明図である。
【００２７】
図１中、１は基地局との通信を行う無線回路である。
２は、各々のブロックの制御を行う制御回路である。
３は充電型電池、４は充電型電池３に充電する為の充電回路、５は充電器（図示せず）を接続する為の充電端子である。
６は偏心錘、７はモータ、８は冷却用（送風用）ファンである。尚、冷却用ファン８が回転すると、偏心錘６も回転動作するように構成することも出来るが、本実施形態にあっては、冷却用ファン８のみの回転動作が可能なように構成させている。
９は着信等を報知する為のスピーカ、１０は着信等を表示する為のＬＥＤである。
【００２８】
そして、本実施形態の携帯電話機Ａにあっては、上記制御回路２は、特に、次のように構成させている。すなわち、携帯電話機Ａに着信が有った場合、その着信の合図を発生させる為、仮に、偏心錘６の回転動作による振動を発生させる振動モード（体感モード）に携帯電話機Ａがセットされていても、携帯電話機Ａが充電器にセットされた場合、その充電セットの信号が制御回路２に入力され、その結果、着信が有った場合には、スピーカ９からの着信報知やＬＥＤ１０による着信表示の聴覚・視覚モードに切り替わるように構成させているのである。更に、充電型電池３への充電が停止、特に、充電器からの離脱になった場合、その離脱信号が制御回路２に入力され、着信合図が、元々、偏心錘６の回転動作による振動が発生する振動モード（体感モード）にセットされていた場合には、その振動モード（体感モード）に復帰させるように構成させている。かつ、携帯電話機Ａが充電器にセットされた場合、その充電セットの信号が制御回路２に入力され、その結果、モータ７が作動し、冷却用ファン８を回転させように構成させている。そして、冷却用ファン８の回転によって風が送られ、充電回路や充電型電池に起きている温度上昇を出来るだけ防ぐようになっている。
【００２９】
上記のように構成させた携帯端末装置Ａにおいて、携帯端末装置Ａが充電器に装着（接続）されると、次のようになる。すなわち、先ず、充電端子５に充電器が接続される（ステップ４０１）と、充電回路４は、充電型電池３への充電を開始すると共に、充電器が接続されたことを制御回路２に通知する。
【００３０】
制御回路２は、モータ７を回転させ、冷却用ファン８を回転させる。これにより、充電回路４には風が送られ、充電回路４の過度の温度上昇が防止される（ステップ４０２）。
【００３１】
ここで、着信合図が偏心錘６の回転動作による振動を発生させる振動モード（体感モード）にセットされていた場合、充電器に接続されたことの通知を受けて、制御回路２は、着信合図をスピーカ９からの着信報知及び／又はＬＥＤ１０による着信表示の聴覚・視覚モードに自動的に切り替える（ステップ４０４）。
【００３２】
そして、充電が完了し、或いは携帯端末装置Ａが充電器から取り外される（ステップ４０５）と、制御回路２は、モータ７を停止させる。これにより、冷却用ファン８が回転停止する（ステップ４０６）。又、制御回路２は、聴覚・視覚モードから元々の振動モード（体感モード）に復帰させる（ステップ４０７）。
【００３３】
上記した如く、第１実施形態の携帯端末装置Ａにあっては、充電器が接続されて充電が行なわれると、充電回路は冷却されるようになる為、充電時の携帯端末装置の温度上昇と言った現象を抑えることが可能となる。
【００３４】
又、普通の携帯電話機に装備されているバイブレータ機構を冷却用ファンとして用いるようにした場合、新たに冷却用ファンを搭載しなくても済み、コストの低減が可能となり、かつ、携帯電話機の小型化が可能となる。
【００３５】
又、充電時に着信があった時、必ず、聴覚・視覚モードでの着信合図となることから、着信が有った場合の認識がそれだけ容易なものになる。
【００３６】
図３及び図４は本発明になる携帯端末装置（例えば、携帯電話機Ｂ）の第２実施形態を示すもので、図３はブロック図、図４は動作説明図である。
【００３７】
図３中、１１は基地局との通信を行う無線回路である。
１２は、各々のブロックの制御を行う制御回路である。
１３は充電型電池、１４は充電型電池１３に充電する為の充電回路、１５は充電器（図示せず）を接続する為の充電端子である。
１６は偏心錘、１７はモータ、１８は冷却用（送風用）ファン、１９はモータ１７の出力軸に設けられた遠心クラッチである。尚、この遠心クラッチ１９は、モータ１７が高速で回転している時には、偏心錘１６にモータ１７の回転を伝達せず、モータ１７が低速（前記高速回転より低速）で回転している時には、偏心錘１６にモータ１７の回転を伝達する仕組となっている。
２０は、充電型電池１３とモータ１７との間に設けられたスイッチである。２１は、スイッチ２０とモータ１７との間に設けられた電流逆流防止用のダイオードである。２２は、充電端子１５と充電回路１４との間とモータ１７との間に設けられた電流逆流防止用のダイオードである。そして、図３のブロック図からも判る通り、モータ１７は、充電型電池１３に接続されているのみでなく、携帯電話機Ｂが充電器にセットされた場合には、この充電器に接続されるよう構成されている。
又、図示していないが、第１実施形態の携帯電話機Ａと同様、着信等を報知する為のスピーカや着信等を表示する為のＬＥＤが設けられている。
【００３８】
そして、本実施形態の携帯電話機Ｂにあっては、上記制御回路１２は、特に、次のように構成させている。すなわち、携帯電話機Ｂが充電器にセットされた場合、スイッチ２０をＯＦＦ状態のものとし、充電型電池１３とモータ１７との間は遮断されるようにする。但し、携帯電話機Ｂが充電器にセットされたことによって、モータ１７は、直接、充電器に接続されるものとなる。そして、携帯電話機Ｂが高電圧源の充電器にセットされると、モータ１７は高速回転する。モータ１７は高速回転するが故に、遠心クラッチ１９の作用により、偏心錘１６は回転しないものの、冷却用（送風用）ファン１８は回転する。かつ、携帯電話機Ｂに着信が有った場合、その着信の合図を発生させる為、仮に、偏心錘１６の回転動作による振動を発生させる振動モード（体感モード）に携帯電話機Ｂがセットされていても、携帯電話機Ｂが充電器にセットされた場合、その充電セットの信号が制御回路１２に入力され、その結果、着信が有った場合には、スピーカからの着信報知やＬＥＤによる着信表示の聴覚・視覚モードに切り替わるように構成させているのである。更に、充電型電池１３への充電が停止、特に、充電器からの離脱になった場合、その離脱信号が制御回路１２に入力され、着信合図が、元々、偏心錘１６の回転動作による振動が発生する振動モード（体感モード）にセットされていた場合には、その振動モード（体感モード）に復帰させるように構成させている。
【００３９】
上記のように構成させた携帯端末装置Ｂは次のように動作する。すなわち、先ず、着信合図が偏心錘１６の回転動作による振動を発生させる振動モード（体感モード）にセットされていた場合、制御回路１２は、スイッチ２０をＯＮにして、充電型電池１３からダイオード２１を通してモータ１７に電力が供給される（ステップ６０３）。一般的に、充電型電池１３の電圧は３Ｖ〜４Ｖであり、充電器の電圧５Ｖ〜６Ｖより低いので、電力供給が充電型電池１３による場合には、モータ１７は低速で回転する。モータ１７が低速で回転すると、遠心クラッチ１９は偏心錘１６に回転を伝達する。従って、偏心錘１６が回転し、振動が発生する。これによって、保持者は着信のあったことを認識できるようになる。そして、一定時間経過後、制御回路１２は、スイッチ２０をＯＦＦにする。これにより、モータ１７への電力供給が停止され、偏心錘１６の回転は停止し、振動は終了する（ステップ６０４）。
【００４０】
さて、携帯端末装置Ｂが充電器にセットされると、次のように動作する。携帯端末装置Ｂが充電器に装着（接続）される（ステップ６０５）と、充電器から充電型電池１３への充電が開始される。尚、この時、制御回路１２は、スイッチ２０をＯＦＦにする。これと共に、充電器からダイオード２２を通してモータ１７には電力が供給される（ステップ６０６）。一般的に、充電器の電圧は、充電型電池１３の電圧と比較して高いので、この場合、モータ１７は高速で回転する。そうすると、遠心クラッチ１９は偏心錘１６に回転を伝達しないので、偏心錘１６は回転せず、冷却用（送風用）ファン１８のみが回転する。これにより、充電回路１４には風が送られ、充電回路１４の過度の温度上昇が防止される。
【００４１】
上記した如く、第２実施形態の携帯端末装置Ｂにあっては、充電器が接続されて充電が行なわれると、充電回路が冷却されるようになる為、充電時の携帯端末装置の温度上昇と言った温度上昇を抑えることが可能となる。
【００４２】
尚、本実施形態のものにあっては、制御回路に拠ることなく、ハード的に冷却用ファンを回転させるようにしている為、充電型電池の電圧が低くて制御回路が動作しないような状態、或いは制御回路が暴走状態になった状態でも、確実に、冷却用ファンを回転させることが出来る。
又、充電時には、ファンのみが回転して、偏心錘は回転しない為、余計な振動が発生しない。
【００４３】
又、普通の携帯電話機に装備されているバイブレータ機構を冷却用ファンとして用いるようにした場合、新たに冷却用ファンを搭載しなくても済み、コストの低減が可能となり、かつ、携帯電話機の小型化が可能となる。
【００４４】
又、充電時に着信があった時、必ず、聴覚・視覚モードでの着信合図となることから、着信が有った場合の認識がそれだけ容易なものになる。
【００４５】
尚、上記第１実施形態の機構と第２実施形態の機構を適宜取捨選択合体することも出来る。
【図面の簡単な説明】
【００４６】
【図１】携帯端末装置の第１実施形態のブロック図
【図２】第１実施形態の携帯端末装置の動作説明図
【図３】携帯端末装置の第２実施形態のブロック図
【図４】第２実施形態の携帯端末装置の動作説明図
【符号の説明】
【００４７】
Ａ，Ｂ            携帯電話機
１，１１          無線回路
２，１２          制御回路
３，１３          充電型電池
４，１４          充電回路
５，１５          充電端子
６，１６          偏心錘
７，１７          モータ
８，１８          冷却用（送風用）ファン
９                スピーカ
１０              ＬＥＤ
１９              遠心クラッチ
２０              スイッチ
２１，２２        ダイオード
特許出願人  ＮＥＣアクセステクニカ株式会社
代  理  人  宇      高          克      己
【図１】
2006217014.tif 000003
【図２】
2006217014.tif 000004
【図３】
2006217014.tif 000005
【図４】
2006217014.tif 000006